(57)【特許請求の範囲】
【請求項１】
圧電アクチュエータを備えてなり、給糸穴を一端部に有する複数のジャカードガイドが編針列に対応してガイドバーに配設された経編機において、電極層が設けられた圧電セラミックスを支持薄板の両側に密着してなる変位部と、該変位部に通電可能に配線された電極端子を有する保持部と、給糸穴を有するジャカードガイドを端設してなるガイド部とで圧電素子エレメントを一体に成形してなり、前記圧電素子エレメントの分極処理された両側の圧電セラミックスに異極の通電を行い両圧電セラミックスを同時積極歪曲させてガイドをラッピングさせる構成としたことを特徴とする経編機における圧電変位ジャカードガイド構造。
【請求項２】
ジャカードガイドへの通電圧が４０Ｖ〜１００Ｖの範囲で、ガイド先端の変位に基づく編糸の給糸を可能とした請求項１に記載の経編機における圧電変位ジャカードガイド構造。
【請求項３】
ジャカードガイドは各々独立したエレメントとして製作され、ジャカードガイドの一方端における保持部に電極端子を一体に成形してなるとともに、ガイドバーの脱着部に設けた位置決め溝部に嵌り込む凸条を前記保持部の両側部に設けることでジャカードガイドを個別に脱着可能に構成したことを特徴とする請求項１に記載の経編機における圧電変位ジャカードガイド構造。
【発明の詳細な説明】
【０００１】
【発明の属する技術分野】
本発明は経編機における圧電変位ジャカードガイド構造に関する。
【０００２】
【従来の技術】
経編機のジャカード装置において、ハーネスコードを省いて圧電素子を装備してなるジャカードガイドバー構造については、当出願人が先に出願し特許１７７０３６５号として認可されている。その後、この基本特許を利用したジャカード装置が提案されており、例えば特許２９１９７７３号や特開平８−２０９５１０などに開示されている。
【０００３】
これらのジャカード装置は、導糸穴を一端に有するジャカードガイドを端設してなる圧電素子エレメントが１６，１８，２４の各ゲージ機においては１６本が、又、２８，３２の各ゲージ機においては、３２本が各々まとめられて１ユニットを構成し、編機の稼働幅に対応して多数のユニットが編針列に並行してガイドバーの保持部に固着されている。又、前記圧電素子エレメントは、先端部にガイドを取着してなり、支持板の両側にはセラミックスが密着されている。例えば、ガイドの変位を生起させるために一方側のセラミックスに通電されると圧電効果によりセラミックスが歪み、これに伴い支持板が一方側に歪曲する。このとき他方側のセラミックスには通電されない。更に他方向の変位を得るには、先ほど通電したセラミックスは放電させてひずみを解放するとともに、新たに他方側のセラミックスに通電することで反対方向への歪みが生じ、これにより所望方向への変位が得られることとなる。
【０００４】
しかしながら、上記圧電変位ジャカード構造においては、セラミックスへの通電圧は通常その通電制御方式により２００Ｖの高圧が必要で、これにより常に漏電による障害の恐れがあり、又、圧電素子エレメントが複数まとめられてユニットを構成しているので、一つの圧電素子エレメントに障害が生じて取り替えを余儀なくされた場合、ユニット毎に交換することが必要となり手間がかかる。
【０００５】
【発明が解決しようとする課題】
本発明は上記欠点を解消し、例えば４０Ｖ程度の比較的低電圧でも充分圧電素子エレメントの歪曲を可能とするとともに、好適には、圧電素子エレメントの脱着が個別に可能な圧電変位ジャカードガイド構造を提供とするものである。
【０００６】
【課題を解決するための手段】
本発明は圧電アクチュエータを備えてなり、給糸穴を一端部に有する複数のジャカードガイドが編針列に対応してガイドバーに配設された経編機において、電極層が設けられた圧電セラミックスを支持薄板の両側に密着してなる変位部と、該変位部に通電可能に配線された電極端子を有する保持部と、給糸穴を有するジャカードガイドを端設してなるガイド部とで圧電素子エレメントを一体に成形してなり、前記圧電素子エレメントの分極処理された両側の圧電セラミックスに異極の通電を行い両圧電セラミックスを同時積極歪曲させてガイドをラッピングさせる構成としたもので、両側に配した圧電セラミックスによる同時積極歪曲により低通電圧でも所望の十分な変位をガイドに生起させることができる。
【０００７】
【発明の実施の形態】
ジャカードガイドへの通電圧が４０Ｖ〜１００Ｖの範囲で、ガイド先端の変位に基づく編糸の給糸を可能としたことにより、通電された圧電素子エレメントからの漏電を防ぐことができるので、ジャカードガイドを好適に作動できるとともに、安全性の向上も図れる。
【０００８】
ジャカードガイドは各々独立したエレメントとして製作され、ジャカードガイドの一方端における保持部に電極端子を一体に成形してなるとともに、ガイドバーの脱着部に設けた位置決め溝部に嵌り込む凸条を前記保持部の両側部に設けることでジャカードガイドを個別に脱着可能に構成したので、ジャカードガイドの位置決めが正確になされるとともに、損傷されたジャカードガイドの取り替えを個別に実施することができる。
【０００９】
【実施例】
次に本発明の一実施例を図面に基づいて説明する。図１は圧電アクチュエータを備えた本発明のジャカードガイド構造の一実施例を一部断面にて示す側面図である。１はジャカードガイドバーであり、ジャカードセグメント２がジャカードガイドバー１の一端部に設けた取着部３に螺子４により固定されている。５は圧電素子エレメントであり、図２，図３に示すように構成されており以下に詳しく説明する。
【００１０】
６は支持薄板であり０．１ｍｍの厚みを有している。銀メッキよりなり、厚みが０．２ｍｍの電極層７がコーティングされてなる圧電セラミックスが薄板６の両面に接着されており、これにより０．５ｍｍの厚みの変位部８を構成している。９は電極層７の更に外方にコーティングされた絶縁用の薄膜である。１０は電極端子であり、電極層７に通電可能に保持部１１にインジェクションにより一体成形されて固定されている。１２は支持薄板６の一端部が延長されて形成されたもう一方の電極端子である。１４はガイド部であり、給糸穴１５を有するジャカードガイド１６を端設してなる。上記のように、変位部８、保持部１１、ガイド部１４が一体化されて圧電素子エレメント５が構成されている。
【００１１】
図４はジャカードセグメントの１ユニットを示す正面図であり、経編機の編針列（図示せず）に対応して１６本の圧電素子エレメント５が、個別に脱着可能に取着されている。
【００１２】
次に圧電素子エレメント５を脱着可能としたジャカードガイド構造の一実施例について図１、図３及び図４を用いて詳しく説明する。１７は取着部３に密着して取り付けるための取着枠体であり、取着枠体１７の上部において保持板１８が螺子１９により螺着されてなるとともに、螺子２０により保持体２１を螺着している。保持板２２は保持体２１を挟んで保持板１８の反対側に設けてなり、螺子２３，２３により蓋板２８とともに保持体２１に螺着可能に設けられてなる。２９は保護プレートであり、数個のセグメント２にわたり設けられ、上端は蓋板２８に下端は凹状溝部２５の端に取り外し可能に取着されている。凹状溝部２５は取着枠体１７の下端において編機ゲージに対応した目切りがなされて設けられ、この溝部２５の中にジャカードガイド１６が連続して嵌め込まれている。
【００１３】
保持板１８，２２には各々１６個の位置決め溝部２４が編機ゲージに対応して刻設されており、圧電素子エレメント５はその保持部１１の両側に設けた凸条１１ａ，１１ｂを位置決め溝部２４に挿嵌して各々位置決めされるとともに、ジャカードセグメント２に取着されている。
【００１４】
電極端子１０，１２には電極線２６，２７がプラグ１３,１３を介して接続されており、これらがまとめられ、更に他のエレメント分と一緒にコードにまとめられて、編機の幅方向に横架する取着枠体１７上部にあって制御基板が組み込まれた制御出力部（図示せず）に差し込まれてなる。
【００１５】
以上が本発明のジャカードガイド構造の構成であるが、次に圧電素子エレメントへの通電制御方式について図５を用いて説明する。図は制御基板中の回路をわかりやすく示したもので、３０は制御電圧をエレメント５に負荷させるための直流電源であり、実施例では４８Ｖとした。３１は電流の方向を切り換えるための切換スイッチであり、切換スイッチ３１には連動するスイッチ部３１ａ，３１ｂが設けられている。３２は電流制限抵抗であり、回路が短絡したときの過剰電流を防止するもので２２ＫΩのものを採用した。
【００１６】
ジャカードガイド１６の変位のために、まず一方側に移動させるには、切換スイッチ３１をＬ側に作用させることで接点ａ，ｂと接点ｃ，ｄが閉じられる結果、電極端子１０は（＋）に、電極端子１２は（−）になり、所要の電圧が変位部８にかかることで、分極された圧電セラミックスが歪曲してジャカードガイド１６の一方側へのラッピングがなされる。又、他方側に移動させるには切換スイッチをＲ側に作用させることで接点ａ，ｂを開放するとともに接点ｅ，ｆを閉じ、同時に接点ｃ，ｄを開放するとともに接点ｇ，ｈを閉じることで電極端子１０は（−）に、電極端子１２は（＋）になり、前記とは逆にジャカードガイド１６は他方側へラッピングすることになる。
【００１７】
上記実施例においては制御電圧を４８Ｖに設定したが、編機ゲージの粗密に伴うジャカードガイド１６の移動量に応じ、４０Ｖから１００Ｖの範囲で所望の電圧を選択することで、適切なラッピングがなされる。
【００１８】
又、圧電素子エレメント５の一つの圧電部位に損傷が生じた場合には、保持板１８を螺子２３，２３を緩めて取り外し、電極端子１０，１２より電極線２６，２７を引き抜き、保持部１１をつまんでゆっくりと前方へ抜き出し、新しいエレメントを前記と逆の順で嵌め込み、電極線を所定の電極端子に差し込んだ後、保持板を取り付けて螺子をしめることで脱着作業が完了する。
【００１９】
【発明の効果】
本発明によれば、圧電素子エレメントの両側に圧電セラミックスを設けてなる変位部への通電を、一方側が（＋）に、他方側が（−）となるようにして両圧電セラミックスを同時積極歪曲するようにし、両圧電セラミックスを同一方向に歪ませてガイドをラッピング可能に構成したので、低電圧での制御が可能となった結果、漏電などによる障害の虞が少なくなり、エレメント自体の耐久性の向上にも寄与することができた。
【００２０】
通電圧を４０Ｖ〜１００Ｖの間で適宜選択することで、漏電などによる危険を回避してより安全な編機稼働を可能にする。
【００２１】
又、好適には、圧電素子エレメント１個が損傷した場合でも容易に個別の脱着が可能となるので編機取扱い及びメンテナンス上においても至便なものとなった。
【図面の簡単な説明】
【図１】  圧電アクチュエータを備えた本発明のジャカードガイド構造の一実施例を一部断面で示す側面図。
【図２】  圧電素子エレメントの変位部の構造を示す斜視図。
【図３】  圧電素子エレメント全体を示す斜視図。
【図４】  ジャカードセグメントの１ユニットを示す正面図。
【図５】圧電素子エレメントへの通電制御方式を示す回路図。
【符号の説明】
１…ジャカードガイドバー
２…ジャカードセグメント
５…圧電素子エレメント
６…支持薄板
７…電極層
８…変位部
９…薄膜
１０…電極端子
１１…保持部
１１ａ，１１ｂ…凸条
１２…電極端子
１５…給糸穴
１６…ジャカードガイド
２４…位置決め溝部
【図１】
0004210419.tif 000002
【図２】
0004210419.tif 000003
【図３】
0004210419.tif 000004
【図４】
0004210419.tif 000005
【図５】
0004210419.tif 000006